【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
ロケーションベースサービスアプリケーションサーバ（ＬＢＳ  ＡＳ）においてベニューでロケーションサービスを提供するための方法であって、
前記ベニューでモバイルデバイスの存在を検出するようにロケーションサーバ（ＬＳ）を構成するために前記ＬＳに１つまたは複数のメッセージを送信することと、
前記モバイルデバイスのロケーションを示すロケーションパラメータを備える１つまたは複数のメッセージを前記ＬＳから受信することと、
前記受信されたロケーションパラメータに基づいてロケーションサービスを提供することと、
を備える方法。
【請求項２】
前記ロケーションサービスが前記モバイルデバイスに与えられ、および随意に、
前記ロケーションサービスが、ナビゲーション支援、方向探知またはマッププロビジョニングのうちの少なくとも１つを備える、請求項１に記載の方法。
【請求項３】
前記ロケーションパラメータが、前記モバイルデバイスの推定ロケーションの計算を可能にする１つまたは複数の測定値を備え、および／または、
前記ロケーションサービスが、前記ベニューへのビジター分析データのプロビジョンを備え、および／または、
前記受信されたロケーションパラメータが、前記モバイルデバイスの推定ロケーションまたは前記モバイルデバイスの識別情報のうちの少なくとも１つを備え、および／または、
前記ＬＳを構成し、前記ロケーションパラメータを受信することが、オープンモバイルアライアンス（ＯＭＡ）モバイルロケーションプロトコル（ＭＬＰ）に実質的に従って定義されるメッセージを使用して実行され、および／または、
前記ＬＳを構成することが、前記モバイルデバイスのための識別情報または前記ロケーションパラメータを送るためのトリガイベントのうちの少なくとも１つを前記ＬＳに与えることを備え、および随意に、
前記トリガイベントが、前記ベニューへの前記モバイルデバイスの入場を検出すること、周期的時間間隔、前記モバイルデバイスによる特定のエリアへの入場またはそれからの出発、または前記モバイルデバイスの推定ロケーションの変化のうちの少なくとも１つを備える、請求項１に記載の方法。
【請求項４】
前記受信されたロケーションパラメータに応答して前記モバイルデバイスのための前記ＬＳを再構成することと、
前記再構成に少なくとも部分的に基づいて前記ＬＳから送られた前記モバイルデバイスのための追加のロケーションパラメータを受信することと、
前記追加のロケーションパラメータに少なくとも部分的に基づいて追加のロケーションサービスを提供することと、
をさらに備え、および随意に、
前記ＬＳを再構成することが、前記追加のロケーションパラメータを送るための新しいトリガイベントを与えることを備え、および随意に、
前記新しいトリガイベントが、周期的時間間隔、前記モバイルデバイスによる特定のエリアへの入場またはそれからの出発、または前記モバイルデバイスの前記ロケーションの変化のうちの少なくとも１つを備える、請求項１に記載の方法。
【請求項５】
ベニューでモバイルデバイスの存在を検出するようにロケーションサーバ（ＬＳ）を構成するために前記ＬＳに１つまたは複数のメッセージを送信するための手段と、
前記モバイルデバイスのロケーションを示すロケーションパラメータを備える１つまたは複数のメッセージを前記ＬＳから受信するための手段と、
前記受信されたロケーションパラメータに基づいてロケーションサービスを提供するための手段と、
を備えるロケーションベースサービスアプリケーションサーバ（ＬＢＳ  ＡＳ）。
【請求項６】
ロケーションサーバ（ＬＳ）においてベニューでロケーションサービスを提供するための方法であって、
前記ベニューで１つまたは複数のモバイルデバイスの存在を少なくとも検出するようにロケーションサーバ（ＬＳ）を構成するための命令を備える１つまたは複数のメッセージをロケーションベースサービスアプリケーションサーバ（ＬＢＳ  ＡＳ）から受信することと、
前記命令に少なくとも部分的に基づいて前記ベニューで前記１つまたは複数のモバイルデバイスのうちの前記少なくとも１つの前記存在を検出するようにアクセス／ロケーションネットワーク（ＡＬＮ）を構成するために、前記ＡＬＮの少なくとも一部分に１つまたは複数のメッセージを送信することと、
前記ＡＬＮによって送られた第１のロケーション情報を備える１つまたは複数のメッセージを前記ＡＬＮから受信すること、前記第１のロケーション情報が、前記１つまたは複数のモバイルデバイスのうちの少なくとも１つのロケーションを示す、と、
前記第１のロケーション情報に少なくとも部分的に基づいて前記１つまたは複数のモバイルデバイスのうちの前記少なくとも１つについての第２のロケーション情報を取得することと、
前記ＬＢＳ  ＡＳに第２のロケーション情報を戻すことと、
を備える方法。
【請求項７】
前記第２のロケーション情報が、前記１つまたは複数のモバイルデバイスのうちの少なくとも１つの推定ロケーションあるいは前記１つまたは複数のモバイルデバイスのうちの少なくとも１つの識別子とのうちの少なくとも１つを備え、および／または、
前記第１のロケーション情報が、前記１つまたは複数のモバイルデバイスのうちの少なくとも１つの識別子あるいは前記１つまたは複数のモバイルデバイスのうちの少なくとも１つから前記ＡＬＮにおいて受信された信号の測定値とのうちの少なくとも１つを備え、および／または、
前記ＡＬＮを構成することが、少なくとも１つのモバイルデバイスの識別子または前記第１のロケーション情報を送るためのトリガイベントのうちの少なくとも１つを前記ＡＬＮに与えることを備え、および随意に、
前記トリガイベントが、前記ベニューに入るモバイルデバイスを検出すること、周期的時間間隔またはモバイルデバイスから送信された信号の信号測定値の変化のうちの少なくとも１つを備える、請求項６に記載の方法。
【請求項８】
前記命令が、前記１つまたは複数のモバイルデバイスのうちの少なくとも１つの識別子あるいは前記第２のロケーション情報を戻すためのトリガイベントのうちの少なくとも１つを備え、および随意に、
前記トリガイベントが、前記ベニューでのモバイルデバイスの検出、周期的タイマーイベント、モバイルデバイスによる特定のエリアへの入場またはそれからの出発、またはモバイルデバイスの前記ロケーションの変化のうちの少なくとも１つを備える、請求項６に記載の方法。
【請求項９】
前記命令を受信し、前記第２のロケーション情報を戻すことが、オープンモバイルアライアンス（ＯＭＡ）モバイルロケーションプロトコル（ＭＬＰ）に実質的に従って定義されるメッセージを使用して実行され、および／または、
前記第２のロケーション情報が、少なくとも１つのモバイルデバイスのロケーション推定値を備え、および随意に
前記少なくとも１つのモバイルデバイスの前記ロケーション推定値を取得することが、ＡＬＮアルマナックデータを取得することをさらに備え、および随意に、
前記ＡＬＮアルマナックデータがＡＬＮデータベースに要求され、それから取得される、請求項６に記載の方法。
【請求項１０】
ベニューで１つまたは複数のモバイルデバイスの存在を少なくとも検出するようにロケーションサーバ（ＬＳ）を構成するための命令を備える１つまたは複数のメッセージをロケーションベースサービスアプリケーションサーバ（ＬＢＳ  ＡＳ）から受信するための手段と、
前記命令に少なくとも部分的に基づいて前記ベニューで前記１つまたは複数のモバイルデバイスのうちの前記少なくとも１つの前記存在を検出するようにアクセス／ロケーションネットワーク（ＡＬＮ）を構成するために、前記ＡＬＮの少なくとも一部分に１つまたは複数のメッセージを送信するための手段と、
前記ＡＬＮによって送られた第１のロケーション情報を備える１つまたは複数のメッセージを前記ＡＬＮから受信するための手段、前記第１のロケーション情報が、前記１つまたは複数のモバイルデバイスのうちの少なくとも１つのロケーションを示す、と、
前記第１のロケーション情報に少なくとも部分的に基づいて前記１つまたは複数のモバイルデバイスのうちの前記少なくとも１つについての第２のロケーションを取得するための手段と、
前記ＬＢＳ  ＡＳに第２のロケーション情報を戻すための手段と、
を備えるロケーションサーバ。
【請求項１１】
モバイルデバイスのためのベニューでロケーションサービスを取得するための方法であって、
ロケーションベースサービスアプリケーションサーバ（ＬＢＳ  ＡＳ）に前記モバイルデバイスを登録することと、
前記ベニューへの前記モバイルデバイスの入場を検出するようにアクセス／ロケーションネットワーク（ＡＬＮ）を構成するために、１つまたは複数のメッセージを送信することと、
前記ベニューに入る前記モバイルデバイスの推定ロケーションを計算することと、
ロケーションサーバ（ＬＳ）によって前記入場を検出したことに応答して前記ＬＢＳ  ＡＳにサービス要求メッセージを送ることと、
前記モバイルデバイスの前記推定ロケーションに少なくとも部分的に基づいて前記ＬＢＳ  ＡＳから前記ロケーションサービスを受信することと、
を備える方法。
【請求項１２】
前記モバイルデバイスが、測位セッションを始め、前記サービス要求メッセージにおいて前記ＬＢＳ  ＡＳに前記推定ロケーションを与え、および／または、
前記ＬＢＳ  ＡＳに登録することが、前記モバイルデバイスのための測位能力の識別子または前記モバイルデバイスのサービス選好のうちの少なくとも１つを前記ＬＢＳ  ＡＳに与えることを備える、請求項１１に記載の方法。
【請求項１３】
前記サービス要求メッセージが、前記モバイルデバイスの識別子、要求されている特定のサービスまたは前記モバイルデバイスの測位能力のうちの少なくとも１つを備え、および／または、
測位セッションが、第３世代パートナーシッププロジェクト（３ＧＰＰ）または３ＧＰＰ２制御プレーンロケーションソリューションに従ってＯＭＡセキュアユーザプレーンロケーション（ＳＵＰＬ）セッションまたは測位セッションのうちの少なくとも１つを備える、請求項１１に記載の方法。
【請求項１４】
前記モバイルデバイスの入場を検出することが、無線周波ＩＤタグ、ＷｉＦｉアクセスポイントまたはフェムトセルのうちの少なくとも１つによって送信された信号の取得を備え、および／または、
前記方法は、
リモートサーバから測位支援データを受信することと、
前記測位支援データに少なくとも部分的に基づいて前記推定ロケーションを計算することと、
前記ＬＳに前記計算された推定ロケーションを送信することと、
をさらに備える、請求項１１に記載の方法。
【請求項１５】
本願請求項１−４、または６−９、または１１−１３のうちのいずれか一項を実行するための、専用計算装置によって実行可能である、その上に記憶された機械可読命令を備える記憶媒体。
【手続補正２】
【補正対象書類名】明細書
【補正対象項目名】０１５９
【補正方法】変更
【補正の内容】
【０１５９】
[000181]現在例示的な特徴と考えられていることを例示し説明したが、特許請求する主題から逸脱することなく、様々な他の変更を行い得、均等物を代用し得ることが、当業者には理解されよう。さらに、本明細書に記載の中心概念から逸脱することなく、特許請求する主題の教示に特定の状況を適合させるために多くの変更を行い得る。したがって、特許請求する主題は、開示された特定の例に限定されず、そのような特許請求する主題はまた、添付の特許請求の範囲内に入るすべての態様とそれらの均等物とを含み得るものとする。
以下に、本願出願の当初の特許請求の範囲に記載された発明を付記する。
［書類名］特許請求の範囲
［Ｃ１］
ロケーションベースサービスアプリケーションサーバ（ＬＢＳ  ＡＳ）においてベニューでロケーションサービスを提供するための方法であって、
前記ベニューでモバイルデバイスの存在を検出するようにロケーションサーバ（ＬＳ）を構成するために前記ＬＳに１つまたは複数のメッセージを送信することと、
前記モバイルデバイスのロケーションを示すロケーションパラメータを備える１つまたは複数のメッセージを前記ＬＳから受信することと、
前記受信されたロケーションパラメータに基づいてロケーションサービスを提供することと、
を備える方法。
［Ｃ２］
前記ロケーションサービスが前記モバイルデバイスに与えられる、Ｃ１に記載の方法。
［Ｃ３］
前記ロケーションサービスが、ナビゲーション支援、方向探知またはマッププロビジョニングのうちの少なくとも１つを備える、Ｃ２に記載の方法。
［Ｃ４］
前記ロケーションパラメータが、前記モバイルデバイスの推定ロケーションの計算を可能にする１つまたは複数の測定値を備える、Ｃ１に記載の方法。
［Ｃ５］
前記ロケーションサービスが、前記ベニューへのビジター分析データのプロビジョンを備える、Ｃ１に記載の方法。
［Ｃ６］
前記受信されたロケーションパラメータが、前記モバイルデバイスの推定ロケーションまたは前記モバイルデバイスの識別情報のうちの少なくとも１つを備える、Ｃ１に記載の方法。
［Ｃ７］
前記ＬＳを構成することが、前記モバイルデバイスのための識別情報または前記ロケーションパラメータを送るためのトリガイベントのうちの少なくとも１つを前記ＬＳに与えることを備える、Ｃ１に記載の方法。
［Ｃ８］
前記トリガイベントが、前記ベニューへの前記モバイルデバイスの入場を検出すること、周期的時間間隔、前記モバイルデバイスによる特定のエリアへの入場またはそれからの出発、または前記モバイルデバイスの推定ロケーションの変化のうちの少なくとも１つを備える、Ｃ７に記載の方法。
［Ｃ９］
前記ＬＳを構成し、前記ロケーションパラメータを受信することが、オープンモバイルアライアンス（ＯＭＡ）モバイルロケーションプロトコル（ＭＬＰ）に実質的に従って定義されるメッセージを使用して実行される、Ｃ１に記載の方法。
［Ｃ１０］
前記受信されたロケーションパラメータに応答して前記モバイルデバイスのための前記ＬＳを再構成することと、
前記再構成に少なくとも部分的に基づいて前記ＬＳから送られた前記モバイルデバイスのための追加のロケーションパラメータを受信することと、
前記追加のロケーションパラメータに少なくとも部分的に基づいて追加のロケーションサービスを提供することと、
をさらに備える、Ｃ１に記載の方法。
［Ｃ１１］
前記ＬＳを再構成することが、前記追加のロケーションパラメータを送るための新しいトリガイベントを与えることを備える、Ｃ１０に記載の方法。
［Ｃ１２］
前記新しいトリガイベントが、周期的時間間隔、前記モバイルデバイスによる特定のエリアへの入場またはそれからの出発、または前記モバイルデバイスの前記ロケーションの変化のうちの少なくとも１つを備える、Ｃ１１に記載の方法。
［Ｃ１３］
前記ロケーションサービスを提供することが、ベニューのマップデータを提供することをさらに備える、Ｃ２に記載の方法。
［Ｃ１４］
前記マップデータがマップデータベースに要求され、それから取得される、Ｃ１３に記載の方法。
［Ｃ１５］
ロケーションベースサービスアプリケーションサーバ（ＬＢＳ  ＡＳ）であって、前記ロケーションベースサービスアプリケーションサーバは下記を備える、
通信ネットワークにメッセージを送信し、それからメッセージを受信するための通信インターフェースと、
１つまたは複数のプロセッサであって、
ベニューでモバイルデバイスの存在を検出するようにロケーションサーバ（ＬＳ）を構成するために前記ＬＳへの前記通信インターフェースを通した１つまたは複数のメッセージの送信を開始し、
前記モバイルデバイスのロケーションを示すロケーションパラメータを備える、前記ＬＳから前記通信インターフェースにおいて受信された１つまたは複数のメッセージを取得し、
前記取得されたロケーションパラメータに基づいてロケーションサービスのプロビジョニングを開始する、
１つまたは複数のプロセッサ。
［Ｃ１６］
ベニューでモバイルデバイスの存在を検出するようにロケーションサーバ（ＬＳ）を構成するために前記ＬＳへの通信ネットワークを通した１つまたは複数のメッセージの送信を開始することと、
前記モバイルデバイスのロケーションを示すロケーションパラメータを備える、前記通信ネットワークを通して前記ＬＳから受信された１つまたは複数のメッセージを取得することと、
前記取得されたロケーションパラメータに少なくとも部分的に基づいてロケーションサービスのプロビジョニングを開始することと、
を行うための、ロケーションベースアプリケーションサーバ（ＬＢＳ  ＡＳ）の専用計算装置によって実行可能である、その上に記憶された機械可読命令を備える非一時的記憶媒体
を備える物品。
［Ｃ１７］
前記ベニューでモバイルデバイスの存在を検出するようにロケーションサーバ（ＬＳ）を構成するために前記ＬＳに１つまたは複数のメッセージを送信するための手段と、
前記モバイルデバイスのロケーションを示すロケーションパラメータを備える１つまたは複数のメッセージを前記ＬＳから受信するための手段と、
前記受信されたロケーションパラメータに基づいてロケーションサービスを提供するための手段と、
を備えるロケーションベースサービスアプリケーションサーバ（ＬＢＳ  ＡＳ）。
［Ｃ１８］
ロケーションサーバ（ＬＳ）においてベニューでロケーションサービスを提供するための方法であって、
前記ベニューで１つまたは複数のモバイルデバイスの存在を少なくとも検出するようにロケーションサーバ（ＬＳ）を構成するための命令を備える１つまたは複数のメッセージをロケーションベースサービスアプリケーションサーバ（ＬＢＳ  ＡＳ）から受信することと、
前記命令に少なくとも部分的に基づいて前記ベニューで前記１つまたは複数のモバイルデバイスのうちの前記少なくとも１つの前記存在を検出するようにアクセス／ロケーションネットワーク（ＡＬＮ）を構成するために、前記ＡＬＮの少なくとも一部分に１つまたは複数のメッセージを送信することと、
前記ＡＬＮによって送られた第１のロケーション情報を備える１つまたは複数のメッセージを前記ＡＬＮから受信すること、前記第１のロケーション情報が、前記１つまたは複数のモバイルデバイスのうちの少なくとも１つのロケーションを示す、と、
前記第１のロケーション情報に少なくとも部分的に基づいて前記１つまたは複数のモバイルデバイスのうちの前記少なくとも１つについての第２のロケーション情報を取得することと、
前記ＬＢＳ  ＡＳに第２のロケーション情報を戻すことと、
を備える方法。
［Ｃ１９］
前記第２のロケーション情報が、前記１つまたは複数のモバイルデバイスのうちの少なくとも１つの推定ロケーションあるいは前記１つまたは複数のモバイルデバイスのうちの少なくとも１つの識別子とのうちの少なくとも１つを備える、Ｃ１８に記載の方法。
［Ｃ２０］
前記第１のロケーション情報が、前記１つまたは複数のモバイルデバイスのうちの少なくとも１つの識別子あるいは前記１つまたは複数モバイルデバイスのうちの少なくとも１つから前記ＡＬＮにおいて受信された信号の測定値とのうちの少なくとも１つを備える、Ｃ１８に記載の方法。
［Ｃ２１］
前記ＡＬＮを構成することが、少なくとも１つのモバイルデバイスの識別子または前記第１のロケーション情報を送るためのトリガイベントのうちの少なくとも１つを前記ＡＬＮに与えることを備える、Ｃ１８に記載の方法。
［Ｃ２２］
前記トリガイベントが、前記ベニューに入るモバイルデバイスを検出すること、周期的時間間隔またはモバイルデバイスから送信された信号の信号測定値の変化のうちの少なくとも１つを備える、Ｃ２１に記載の方法。
［Ｃ２３］
前記命令が、前記１つまたは複数のモバイルデバイスのうちの少なくとも１つの識別子あるいは前記第２のロケーション情報を戻すためのトリガイベントのうちの少なくとも１つを備える、Ｃ１８に記載の方法。
［Ｃ２４］
前記トリガイベントが、前記ベニューでのモバイルデバイスの検出、周期的タイマーイベント、モバイルデバイスによる特定のエリアへの入場またはそれからの出発、またはモバイルデバイスの前記ロケーションの変化のうちの少なくとも１つを備える、Ｃ２３に記載の方法。
［Ｃ２５］
前記命令を受信し、前記第２のロケーション情報を戻すことが、オープンモバイルアライアンス（ＯＭＡ）モバイルロケーションプロトコル（ＭＬＰ）に実質的に従って定義されるメッセージを使用して実行される、Ｃ１８に記載の方法。
［Ｃ２６］
前記第２のロケーション情報が、少なくとも１つのモバイルデバイスのロケーション推定値を備える、Ｃ１８に記載の方法。
［Ｃ２７］
前記少なくとも１つのモバイルデバイスの前記ロケーション推定値を取得することが、ＡＬＮアルマナックデータを取得することをさらに備える、Ｃ２６に記載の方法。
［Ｃ２８］
前記ＡＬＮアルマナックデータがＡＬＮデータベースに要求され、それから取得される、Ｃ２７に記載の方法。
［Ｃ２９］
前記ＡＬＮが、ＩＥＥＥ８０２．１１アクセスポイント（ＡＰ）、Ｂｌｕｅｔｏｏｔｈ（登録商標）  ＡＰまたはフェムトセルのうちの少なくとも１つを備える、Ｃ１８に記載の方法。
［Ｃ３０］
前記フェムトセルが、符号分割多元接続（ＣＤＭＡ）、広帯域ＣＤＭＡ（ＷＣＤＭＡ（登録商標））、ロングタームエボリューションＬＴＥ）または高速パケットデータ（ＨＲＰＤ）のうちの少なくとも１つに従ってサービスを提供することをサポートする、Ｃ２９に記載の方法。
［Ｃ３１］
前記少なくとも１つのモバイルデバイスの前記ロケーション推定値を取得することが、前記少なくとも１つのモバイルデバイスとの測位セッションを呼び出すことをさらに備える、Ｃ２６に記載の方法。
［Ｃ３２］
前記測位セッションが、第３世代パートナーシッププロジェクト（３ＧＰＰ）または３ＧＰＰ２制御プレーンロケーションソリューションに従ってＯＭＡセキュアユーザプレーンロケーション（ＳＵＰＬ）セッションまたは測位セッションのうちの少なくとも１つを備える、Ｃ３１に記載の方法。
［Ｃ３３］
ロケーションサーバであって、前記ロケーションサーバは下記を備える、
通信ネットワークにメッセージを送信し、それからメッセージを受信するための通信インターフェースと、
１つまたは複数のプロセッサであって、
ベニューで１つまたは複数のモバイルデバイスの存在を少なくとも検出するようにロケーションサーバ（ＬＳ）を構成するための命令を備える１つまたは複数のメッセージをロケーションベースサービスアプリケーションサーバ（ＬＢＳ  ＡＳ）から前記通信インターフェースにおいて取得し、
前記命令に少なくとも部分的に基づいて前記ベニューで前記１つまたは複数のモバイルデバイスのうちの前記少なくとも１つの前記存在を検出するようにアクセス／ロケーションネットワーク（ＡＬＮ）を構成するために、前記ＡＬＮの少なくとも一部分への前記通信インターフェースを通した１つまたは複数のメッセージの送信を開始し、
前記ＡＬＮによって送られた第１のロケーション情報を備える１つまたは複数のメッセージを前記通信インターフェースを通して前記ＡＬＮから取得し、前記第１のロケーション情報が、前記１つまたは複数のモバイルデバイスのうちの少なくとも１つのロケーションを示す、
前記第１のロケーション情報に少なくとも部分的に基づいて前記１つまたは複数のモバイルデバイスのうちの前記少なくとも１つについての第２のロケーション情報を取得し、
前記ＬＢＳ  ＡＳへの前記通信インターフェースを通した前記第２のロケーション情報の送信を開始する、１つまたは複数のプロセッサ。
［Ｃ３４］
ベニューで１つまたは複数のモバイルデバイスの存在を少なくとも検出するようにロケーションサーバ（ＬＳ）を構成するための命令を備える１つまたは複数のメッセージをロケーションベースサービスアプリケーションサーバ（ＬＢＳ  ＡＳ）から取得することと、
前記命令に少なくとも部分的に基づいて前記ベニューで前記１つまたは複数のモバイルデバイスのうちの前記少なくとも１つの前記存在を検出するようにアクセス／ロケーションネットワーク（ＡＬＮ）を構成するために、前記ＡＬＮの少なくとも一部分への１つまたは複数のメッセージの送信を開始することと、
前記ＡＬＮによって送られた第１のロケーション情報を備える１つまたは複数のメッセージを前記ＡＬＮから取得すること、前記第１のロケーション情報が、前記１つまたは複数のモバイルデバイスのうちの少なくとも１つのロケーションを示す、と、
前記第１のロケーション情報に少なくとも部分的に基づいて前記１つまたは複数のモバイルデバイスのうちの前記少なくとも１つについての第２のロケーション情報を取得することと、
前記ＬＢＳ  ＡＳへの前記第２のロケーション情報の送信を開始することと、
を行うための、ロケーションサーバの専用計算装置によって実行可能である、その上に記憶された機械可読命令を備える非一時的記憶媒体
を備える物品。
［Ｃ３５］
ベニューで１つまたは複数のモバイルデバイスの存在を少なくとも検出するようにロケーションサーバ（ＬＳ）を構成するための命令を備える１つまたは複数のメッセージをロケーションベースサービスアプリケーションサーバ（ＬＢＳ  ＡＳ）から受信するための手段と、
前記命令に少なくとも部分的に基づいて前記ベニューで前記１つまたは複数のモバイルデバイスのうちの前記少なくとも１つの前記存在を検出するようにアクセス／ロケーションネットワーク（ＡＬＮ）を構成するために、前記ＡＬＮの少なくとも一部分に１つまたは複数のメッセージを送信するための手段と、
前記ＡＬＮによって送られた第１のロケーション情報を備える１つまたは複数のメッセージを前記ＡＬＮから受信するための手段、前記第１のロケーション情報が、前記１つまたは複数のモバイルデバイスのうちの少なくとも１つのロケーションを示す、と、
前記第１のロケーション情報に少なくとも部分的に基づいて前記１つまたは複数のモバイルデバイスのうちの前記少なくとも１つについての第２のロケーションを取得するための手段と、
前記ＬＢＳ  ＡＳに第２のロケーション情報を戻すための手段と、
を備えるロケーションサーバ。
［Ｃ３６］
モバイルデバイスによってベニューでロケーションサービスを取得するための方法であって、
ロケーションベースサービスアプリケーションサーバ（ＬＢＳ  ＡＳ）に前記モバイルデバイスを登録することと、
前記ベニューへの前記モバイルデバイスの入場を検出することと、
前記入場を検出したことに応答して前記ＬＢＳ  ＡＳにサービス要求メッセージを送ることと、
ロケーションサーバ（ＬＳ）との測位セッションに関与すること、ここにおいて、前記ＬＳが、前記モバイルデバイスの推定ロケーションを取得する、と、
前記モバイルデバイスの前記推定ロケーションに少なくとも部分的に基づいて前記ＬＢＳ  ＡＳから前記ロケーションサービスを受信することと、
を備える方法。
［Ｃ３７］
前記モバイルデバイスが、前記測位セッションを始め、前記サービス要求メッセージにおいて前記ＬＢＳ  ＡＳに前記推定ロケーションを与える、Ｃ３６に記載の方法。
［Ｃ３８］
前記ＬＳが、前記ＬＢＳ  ＡＳに送られた前記サービス要求メッセージに少なくとも部分的に基づいて前記測位セッションを呼び出す、Ｃ３６に記載の方法。
［Ｃ３９］
前記ＬＢＳ  ＡＳに登録することが、前記モバイルデバイスのための測位能力の識別子または前記モバイルデバイスのサービス選好のうちの少なくとも１つを前記ＬＢＳ  ＡＳに与えることを備える、Ｃ３６に記載の方法。
［Ｃ４０］
前記サービス要求メッセージが、前記モバイルデバイスの識別子、要求されている特定のサービスまたは前記モバイルデバイスの測位能力のうちの少なくとも１つを備える、Ｃ３６に記載の方法。
［Ｃ４１］
前記測位セッションが、第３世代パートナーシッププロジェクト（３ＧＰＰ）または３ＧＰＰ２制御プレーンロケーションソリューションに従ってＯＭＡセキュアユーザプレーンロケーション（ＳＵＰＬ）セッションまたは測位セッションのうちの少なくとも１つを備える、Ｃ３６に記載の方法。
［Ｃ４２］
前記モバイルデバイスの入場を検出することが、無線周波ＩＤタグ、ＷｉＦｉ（登録商標）アクセスポイントまたはフェムトセルのうちの少なくとも１つによって送信された信号の取得を備える、Ｃ３６に記載の方法。
［Ｃ４３］
リモートサーバから測位支援データを受信することと、
前記測位支援データに少なくとも部分的に基づいて前記推定ロケーションを計算することと、
前記ＬＳに前記計算された推定ロケーションを送信することと、
をさらに備える、Ｃ３６に記載の方法。
［Ｃ４４］
モバイルデバイスであって、前記モバイルデバイスは下記を備える、
通信ネットワークにメッセージを送信し、それからメッセージを受信するためのトランシーバと、
１つまたは複数のプロセッサであって、
ロケーションベースサービスアプリケーションサーバ（ＬＢＳ  ＡＳ）に前記モバイルデバイスを登録するために前記トランシーバを通した１つまたは複数のメッセージの送信を開始し、
ベニューへの前記モバイルデバイスの入場を検出し、
前記入場を検出したことに応答して前記ＬＢＳ  ＡＳへの前記トランシーバを通したサービス要求メッセージの送信を開始し、
ロケーションサーバ（ＬＳ）との測位セッションに関与し、ここにおいて、前記ＬＳが、前記モバイルデバイスのロケーションの推定値を取得する、
前記モバイルデバイスの前記ロケーションの前記推定値に少なくとも部分的に基づいて前記ＬＢＳ  ＡＳからロケーションサービスを受信する、
１つまたは複数のプロセッサ。
［Ｃ４５］
ロケーションベースサービスアプリケーションサーバ（ＬＢＳ  ＡＳ）に前記モバイルデバイスを登録することと、
前記ベニューへのモバイルデバイスの入場を検出することと、
前記入場を検出したことに応答して前記ＬＢＳ  ＡＳへのサービス要求メッセージの送信を開始することと、
ロケーションサーバ（ＬＳ）との測位セッションに関与すること、ここにおいて、前記ＬＳが、前記モバイルデバイスのロケーションの推定値を取得する、と、
前記モバイルデバイスの前記ロケーションの前記推定値に少なくとも部分的に基づいて前記ＬＢＳ  ＡＳからロケーションサービスを受信することと、
を行うための、前記モバイルデバイスの専用計算装置によって実行可能である、その上に記憶された機械可読命令を備える記憶媒体
を備える物品。
［Ｃ４６］
ロケーションベースサービスアプリケーションサーバ（ＬＢＳ  ＡＳ）にモバイルデバイスを登録するための手段と、
前記ベニューへの前記モバイルデバイスの入場を検出するための手段と、
前記入場を検出したことに応答して前記ＬＢＳ  ＡＳにサービス要求メッセージを送るための手段と、
ロケーションサーバ（ＬＳ）との測位セッションに関与するための手段、ここにおいて、前記ＬＳが、前記モバイルデバイスのロケーションの推定値を取得する、と、
前記モバイルデバイスの前記ロケーションの前記推定値に少なくとも部分的に基づいて前記ＬＢＳ  ＡＳからロケーションサービスを受信するための手段と
を備える装置。